(57)【要約】【課題】  電子機器におけるバッテリーロック機構の配置構成を考慮し、電子機器の一層の小型化を可能にすることを目的とする。【解決手段】  電子機器の筐体の一面にバッテリーを着脱自在に装着するバッテリー装着部を設けると共にこの筐体のバッテリー装着部の隣接面にこのバッテリーをロックするロック機構を設けるようにし、このロック機構は、このバッテリーと一方向に付勢されて係合しロックするロックスライダ板と、このロックスライダ板と回動レバーを介して設けられ、この一方向に移動することにより、このロックスライダ板を他方向に移動し、このバッテリーを取り外すスライドボタンとより成り、このスライドボタン及びこのロックスライダ板はこの隣接面の表面又は裏面を摺動するものである。【選択図】        図５
2006228471.tif 000002
【特許請求の範囲】
【請求項１】
電子機器の筐体の一面にバッテリーを着脱自在に装着するバッテリー装着部を設けると共に前記筐体のバッテリー装着部の隣接面に前記バッテリーをロックするロック機構を設けるようにし、前記ロック機構は、前記バッテリーと一方向に付勢されて係合しロックするロックスライダ板と、該ロックスライダ板と回動レバーを介して設けられ、前記一方向に移動することにより、前記ロックスライダ板を他方向に移動し、前記バッテリーを取り外すスライドボタンとより成り、前記スライドボタン及び前記ロックスライダ板は前記隣接面の表面又は裏面を摺動することを特徴とする電子機器のバッテリーロック機構。
【請求項２】
請求項１記載の電子機器のバッテリーロック機構において、
前記バッテリーは、電池セルを収納し、略直方体形状に形成され、前記バッテリー装着部に装着される装着面と該装着面に隣接する第１の端面と、該第１の端面の対面で前記装着面に隣接する第２の端面を有し、前記装着面と前記第１の端面との第１の陵部には前記電池セルと電気的に接続された接続端子を備え、前記装着面と前記第２の端面との第２の陵部には段差部を有するものであって、
前記ロックスライダ板が前記段差部を規制することにより、前記バッテリーがロックされると共にこのロックされたときには、前記第２の端面と前記隣接面が略同一平面となるように構成されていることを特徴とする電子機器のバッテリーロック機構。
【請求項３】
請求項１記載の電子機器のバッテリーロック機構において、
前記スライドボタンに摺動を規制する安全機構を設けたことを特徴とする電子機器のバッテリーロック機構。
【請求項４】
請求項３記載の電子機器のバッテリーロック機構において、
前記安全機構は、前記スライドボタンを前記筐体に保持する弾性材料より成る固定板を設けると共に前記固定板に突起を設け、前記突起を押したときに前記固定板と前記筐体との係合が解除するようにしたことを特徴とする電子機器のバッテリーロック機構。
【請求項５】
請求項３又は４記載の電子機器のバッテリーロック機構において、
前記ロック機構及び安全機構を平面的に配置したことを特徴とする電子機器のバッテリーロック機構。
【発明の詳細な説明】
【技術分野】
【０００１】
本発明は、電子機器の駆動電源であるバッテリーを電子機器に装着した状態でロックすると共にそのロックを解除するバッテリーロック機構に関する。
【背景技術】
【０００２】
従来、電子機器のバッテリーロック機構としては、例えば下記の特許文献１に記載されるようなものがある。
即ちこのバッテリーロック機構は、電子機器( ビデオカメラ) の背面側にバッテリーが装着され、その状態でバッテリーは、バッテリー装着面に突出するロック部材が係合してロックされるようになっている。そしてこのバッテリーロック機構では、ロック部材の横に押釦式のロック解除部材が設けられており、このロック解除部材を押すことでロック部材がバッテリーから外れ、これによってバッテリーのロックが解除されて電子機器からバッテリーを取り外すことができる構造となっている。
【特許文献１】特開平７−３１２２１４号公報
【発明の開示】
【発明が解決しようとする課題】
【０００３】
この特許文献１に記載のバッテリーロック機構は、ロック部材の横に押釦式のロック解除部材を配置した構成であるため、機構の配置に大きなスペースを必要としていた。近年、電子機器は一層の小型化が進んでおり、内部構造の省スペース化が要求されているが、特許文献１に記載のバッテリーロック機構では、この要求に応えることはできない。
本発明は斯かる点に鑑みてなされたもので、電子機器におけるバッテリーロック機構の配置構成を考慮し、電子機器の一層の小型化を可能とすることを目的としている。
【課題を解決するための手段】
【０００４】
本発明電子機器のバッテリーロック機構は、電子機器の筐体の一面にバッテリーを着脱自在に装着するバッテリー装着部を設けると共にこの筐体のバッテリー装着部の隣接面にこのバッテリーをロックするロック機構を設けるようにし、このロック機構は、このバッテリーと一方向に付勢されて係合しロックするロックスライダ板と、このロックスライダ板と回動レバーを介して設けられ、この一方向に移動することにより、このロックスライダ板を他方向に移動し、このバッテリーを取り外すスライドボタンとより成り、このスライドボタン及びこのロックスライダ板はこの隣接面の表面又は裏面を摺動するものである。
【発明の効果】
【０００５】
本発明によれば、ロック機構をバッテリーを着脱自在に装着するバッテリー装着部の隣接面にスライドボタンとロックスライダ板とが回転レバーで逆方向に移動すると共にこのスライドボタン及びこのロックスライダ板をこの隣接面の表面又は裏面を摺動するようにしたので、薄型で操作性の良いロック機構を得ることができる。
【発明を実施するための最良の形態】
【０００６】
以下、図面を参照しながら本発明の電子機器のバッテリーロック機構を実施するための最良の形態の例について詳細に説明する。
先ず、本発明が適用される電子機器として、撮像装置の構成の例につき図１〜図７を参照して説明する。
図１は斜視図、図２は表示装置を開いた後方からの斜視図、図３は表示装置を開いた前方からの斜視図、図４はディスク側の後方から見た斜視図、図５は底面側から見た斜視図、図６はディスク蓋を開いた前方から見た斜視図、図７は同じくディスク状記録媒体を装着した状態の斜視図である。
【０００７】
この撮像装置１は、情報記憶メディアであるディスク状記録媒体の一具体例として直径８ｃｍのＤＶＤ（Digital Versatile Disc）を使用し、光学的な画像をＣＣＤ（固体撮像素子）で電気的な信号に変換してＤＶＤに記録したり、液晶モニタ等の表示装置に表示できるようにしたもの（以下「ディスク式撮像装置」という。）である。しかしながら、ディスク状記録媒体としては、ＤＶＤに限定されるものではなく、ＣＤ−ＲＯＭその他の記録可能な光学ディスクを用いることができることは勿論のこと、例えば光磁気ディスク、磁気ディスク等のように他の記録方式のディスク状記録媒体を適用できるものである。
【０００８】
このディスク式撮像装置１は、着脱自在に装着されるＤＶＤ２を回転駆動して情報信号の記録（書き込み）及び再生（読み出し）を行うディスクドライブ装置３（図６、図７を参照）と、このディスクドライブ装置３の駆動制御等を行う図示しない制御回路と、被写体の像を光として取り込んでＣＣＤに導くレンズ装置４と、これらディスクドライブ装置３等が収納される外装ケース５と、この外装ケース５に回動自在に取り付けられてディスク収納部６を開閉可能に覆うことができるディスク蓋７等を備えて構成されている。
【０００９】
外装ケース５は、三重に重ね合わせるように組み合わされるディスク側パネル、中央部パネル及び表示装置側パネルと、レンズ装置４の光軸方向の前後に配置されてこれらのパネルと組み合わされるフロントパネル及び背面側のバッテリー装着パネル１２と、中央部パネルの内側に配置される図に表れない仕切りパネルとからなり、これらのパネルによって中空の筐体が構成されている。そして、仕切りパネルのディスク側パネル側の面に、ディスクドライブ装置３が４箇所に設けられたマウントインシュレータを介して弾性的に支持されている。これらのパネルは、互いに重ね合わされた適当な部分において、或いは他の部材を介して固定ネジからなる固着手段によって組立・分解可能に構成されている。
【００１０】
レンズ装置４は、外装ケース５の上部に内蔵された状態で固定されていて、その対物レンズ１５がフロントパネルの上部を前方に貫通して前面に露出されている。図示しないが、外装ケース５の内部において、レンズ装置４の後方にＣＣＤが配置されており、そのＣＣＤの後方にビューファインダ１６が配置されている。
【００１１】
ビューファインダ１６は外装ケース５の上部に露出されていて、ファインダ移動機構によってレンズ装置４の光軸方向へ所定距離だけ進退移動可能に構成されている。このビューファインダ１６は、前側を回動中心として後側が上下方向へ回動可能に構成されている。これによりビューファインダ１６は、レンズ装置４の光軸と平行をなす水平状態から、後部を上方へ持ち上げた上向き状態まで所定角度範囲（本例では約９０度）内で任意角度に角度調節可能とされている。このビューファインダ１６の角度調整は、ファインダ移動機構の前端部から後端部までの如何なる位置においても行うことができる。
【００１２】
更に、外装ケース５の上部には、前側に内蔵マイクロホン２２が配置され、その後方にビデオライトや外付けマイクロホン等のアクセサリーが着脱自在に装着されるアクセサリーシュー１７が取り付けられている。アクセサリーシュー１７はビューファインダ１６の前方に配置されている。このアクセサリーシュー１７には、通常、不使用時に空間部分を埋める蓋体をなすシューキャップ１８が装着される。
【００１３】
また、フロントパネルの前面には、上から順にリモコン受光部２０とマイク端子とが配置されている。リモコン受光部２０は、リモコン操作のための受信部である。このリモコン受光部２０は、焦点を自動的に調整する等のために用いられる赤外線を発光する赤外線発光部も兼ねている。また、マイク端子は映像端子と音声端子とからなり、これらの端子は端子カバーによって開閉可能に覆われている。
【００１４】
図２、図４、図５に示すように、外装ケース５の一部を構成するバッテリー装着パネル１２には、撮像装置の駆動用電源であるバッテリー２４が着脱自在に装着されるバッテリー装着部２５が設けられている。バッテリー装着部２５は、バッテリー装着パネル１２の背面及び下面に開口されていて、バッテリー２４を下方から差し込んで装着し、同方向へ取り外し可能とされている。更に、バッテリー装着パネル１２には、吊り下げ用ストラップのための２個の支持金具が取り付けられている。２個の支持金具のうち、一方の支持金具は右サイドの上部に配置され、他方の支持金具は左サイドの下部に配置されている。
【００１５】
図２及び図３に示すように、外装ケース５の表示装置側パネル１０には、表示装置２８が姿勢変更可能に取り付けられている。表示装置２８は、平板状の液晶モニタ２９と、この液晶モニタ２９が収納されたパネルケース３０と、このパネルケース３０を外装ケース５に対して姿勢変更可能に支持するパネル支持部３１とから構成されている。
【００１６】
パネル支持部３１は、垂直軸を回動中心としてパネルケース３０を水平方向に略９０度回動可能とした水平回動機能と、水平軸を回動中心としてパネルケース３０を前後方向に略１８０度回動可能とした前後回動機能とを有している。これにより表示装置２８は、図１に示す収納状態と、図２に示すパネルケース３０を９０度回動させて液晶モニタ２９を後方へ対向させた状態と、図２の状態からパネルケース３０を１８０度回動させて液晶モニタ２９を前方へ対向させた状態と、それらの中間位置の状態とを任意に取ることができる。
【００１７】
更に、表示装置側パネル１０には、パネルケース３０によって開閉自在に覆われる操作ボタンからなる内側操作部と、パネルケース３０の上方に配された操作ボタンからなる外側操作部が設けられている。
【００１８】
ディスク収納部６は、ディスクドライブ装置３の一部を露出させるための開口部を有する一定領域からなり、この例では直径が８ｃｍのディスク状記録媒体に対応する大きさの領域として形成されている。このディスク収納部６の略中央部にはディスクドライブ装置３のテーブル回転装置３５が配置され、その中央部に位置するターンテーブル３６に対して、ディスク状記録媒体の一具体例を示す直径８ｃｍのＤＶＤ２が装着可能とされている。
【００１９】
このテーブル回転装置３５が配置されたディスク収納部６は、図６、図７に示すように、ディスク側パネル８に側面部を回動自在に支持されたディスク蓋７によって開閉可能に覆われている。ディスク蓋７は、ディスク収納部６の形状に見合う形状とされていて、ディスク収納部６の開口側を覆う平面部と、この平面部の外周縁の略全周に亘って連続する周面部を有している。ディスク蓋７の周面部は、ディスク側パネルのディスク収納部６の外周側切欠き部と嵌り合うように構成されている。
【００２０】
本例で示すディスク蓋７は、外周縁一周の略５／６（約３００度）が円形（円形部分は全体の略３／４以上あれば良い。）とされたシェル形をなしていて、残りの部分が直線からなる方形部とされている。この方形部には、ディスク蓋７を開閉動作させるための回動中心となる蓋回動軸部３９が取り付けられている。蓋回動軸部３９は、図示しないが、方形部を貫通する支持軸と、この支持軸の両端を固定的に支持する一対の軸受片を有する軸受部材とからなり、軸受部材をディスク側パネルに固定することによってディスク蓋７が回動自在に支持されている。この蓋回動軸部３９には、ディスク蓋７の最大開き角度（例えば、９０度）を設定するストッパー部が設けられている。
【００２１】
このような蓋回動軸部３９が、その支持軸の軸方向を上下方向に設定してディスク側パネルに取り付けられている。これにより、ディスク蓋７が蓋回動軸部３９を介してディスク側パネルの後部に回動可能に支持されている。その結果、ディスク蓋７は、ディスク式撮像装置１の正面を前側として前開きによって側方へ略９０度開放動作させることができる。なお、蓋回動軸部３９には、一定の開放角度の範囲内においてディスク蓋７を任意の開放位置で静止させることができると共に、その開放角度を超えたときにはディスク蓋７を開放側へ付勢するようにバネ部材が装着されている。
【００２２】
このディスク側パネルと重ね合わされる中央部パネルの上面部の略中央部から前面部の下部に亘る部分には、内側となる表示装置側パネル側に傾斜させることによって凹部となるくびれが設定されている。このくびれを有するディスク側パネル及び中央部パネルの円弧状をなす部分によってディスク式撮像装置１を握って保持するためのグリップ部４３が構成されている。
【００２３】
このような中央部パネルとディスク側パネルの間には、ディスク蓋７の蓋開閉機構が設けられている。この蓋開閉機構は、ディスク収納部６を閉じた状態のディスク蓋７を、その閉じ状態においてロックする機能と、そのロックを解除する機能とを有するものである。
【００２４】
また、図３、図４及び図５等に示すように、ディスク側パネルには、ディスク蓋７を囲うようにハンドストラップ６０が取り付けられている。ハンドストラップ６０は、外装ケース５の把持部とされたグリップ部４３を握るユーザーの手の部分を支えて、ディスク式撮像装置１の取り落とし等を防止するものである。
【００２５】
このハンドストラップ６０は、両端がディスク側パネルに固定された支持ベルト６１と、この支持ベルト６１に装着されてユーザーの手の甲部分に当接される保護パッド６２から構成されている。支持ベルト６１の一端はディスク側パネルの前側下部に固定された取付金具６３に連結され、他端はディスク側パネルの後側中途部に設けた貫通穴から内側に挿入されて、その内部に取り付けられた取付金具に固定されている。
【００２６】
図３、図４等に示すように、ディスク側パネルの後部には、電源ボタン６４とモード切換ダイヤル６５と録画ボタン６６が配置されている。モード切換ダイヤル６５はリング状をなしていて、その穴内に電源ボタン６４が収納されている。電源ボタン６４はプッシュ・プッシュ方式のスイッチ手段からなり、その押圧動作によって電源バッテリー２４からの電力供給がオン・オフされる。モード切換ダイヤル６５は録画等の動作モードを選択するためのもので、その回動操作によって「静止画モード」と「動画モード」と「見る・編集モード」との３態様の中から任意のモードを選択することができる。また、録画ボタン６６はプッシュ・プッシュ方式のスイッチ手段からなり、その押圧動作によって動画撮影のスタートとストップが繰り返される。
【００２７】
更に、ディスク側パネルの後側上部には、シャッタボタン６７とズームレバー６８が配置されている。シャッタボタン６７は静止画を撮影するためのもので、その押圧操作により、１回の押圧操作毎に１つの静止画が撮影される。また、ズームレバー６８は撮影時や再生時等において画像を拡大するためのもので、その操作量に応じて一定の範囲内で倍率を無段階に調整することができる。
【００２８】
前述したように外装ケース５の内部は仕切りパネルによって左右方向（レンズ装置４の光軸と交差する方向）に仕切られており、これにより、ディスク蓋７側の第１の室と表示装置側の第２の室が形成されている。仕切りパネルは板状の部材からなり、固定ネジによって外装ケース５の内部に締付固定されている。
【００２９】
図示しないが、外装ケース５の第１の室にはディスクドライブ装置３が収納され、第２の室にはレンズ装置４と制御回路部等が収納されている。そのため、仕切りパネルの一面側にはディスクドライブ装置３を支持するための複数個の支持突起が設けられ、他面側にはレンズ装置４やプリント基板等を支持するための複数個の支持片が設けられている。制御回路部は、例えば、マイクロコンピュータや記憶装置（ＲＡＭ，ＲＯＭ）、コンデンサや抵抗その他の電子部品と、これらの電子部品が搭載される回路基板等によって構成される。
【００３０】
図６に示すように、ディスクドライブ装置３は、仕切りパネルに取り付けられるメカシャーシ３７と、このメカシャーシ３７に固定されるテーブル回転装置３５と、ピックアップ装置の一具体例を示す光学ピックアップ装置７１等を備えて構成されている。メカシャーシ３７は導電性の板材で形成されていて、絶縁性材料で形成された弾性体からなる複数個のマウントインシュレータを介して仕切りパネルに弾性的に支持されている。
【００３１】
このように仕切りパネルに取り付けられたメカシャーシ３７は、十分に大きな強度を有する枠状の部材によって構成されている。メカシャーシ３７と仕切りパネルの導体部分は、図示しないアース部材によって互いに導通されていて、静電気等を外部に放出し易い構造とされている。このメカシャーシ３７に搭載されたテーブル回転装置３５は、メカシャーシ３７に固定されたスピンドルモータと、このスピンドルモータの回転部に固定されたターンテーブル３６とから構成されている。
【００３２】
ターンテーブル３６は、ＤＶＤ２のセンタ穴が嵌合される嵌合部と、センタ穴の周縁部が載置される載置部とからなっている。更に、ターンテーブル３６の嵌合部には、ＤＶＤ２のセンタ穴の周縁部に係合してＤＶＤ２を保持する複数個の係合爪が周方向に複数個設けられている。各係合爪はスプリングによって半径方向外側へ付勢されており、このスプリングのバネ力によってＤＶＤ２が嵌合部に位置決め固定される。
【００３３】
また、光学ピックアップ装置７１は、ＤＶＤ２の情報記録面に対向されるピックアップレンズを有する二軸アクチュエータと、この二軸アクチュエータが搭載されたスライド部材等を備えて構成されている。スライド部材は、図に表れない２本のガイド軸にガイドされて移動可能とされている。２本のガイド軸は、スピンドルモータを挟んで互いに平行とされており、一方のガイド軸の近傍にピックアップ移動装置が設けられている。
【００３４】
図示しないが、ピックアップ移動装置は、スライド部材に取り付けられた送りナットに係合される送りネジ軸と、この送りネジ軸を回転軸とした送りモータとから構成されている。送りネジ軸は光学ピックアップ装置７１のガイド軸と平行に設定され、メカシャーシ３７に回転自在に支持されている。かくして、送りモータを駆動して送りネジ軸を回転することにより、その送りネジ軸の回転方向に応じて光学ピックアップ装置７１がターンテーブル３６に近づく方向とターンテーブル３６から離れる方向とに選択的に移動される。これらメカシャーシ３７とテーブル回転装置３５と光学ピックアップ装置７１とピックアップ移動装置とその他の関連機構とによってディスクドライブ装置３が構成されている。
【００３５】
このような構成を有するディスクドライブ装置３が取り付けられた仕切りパネルを外装ケース５内の所定位置に固定することにより、図６に示すように、テーブル回転装置３５のターンテーブル３６とその周辺部分がディスク側パネルのディスク収納部６に配置される。このディスク収納部６がディスク蓋７によって開閉され、そのディスク蓋７のロック及びそのロック解除が蓋開閉機構によって行われる。
【００３６】
蓋開閉機構は、図６に示すように、ディスク蓋７に固定されるロック部材と、ディスク側パネル側の部材であるベースプレートに摺動可能に取り付けられる操作部材等から構成されている。ロック部材は、一対のロック爪によりなり、ディスク蓋７を閉じたときにはこのロック爪がディスク側パネルの前面部に形成された挿入孔に挿入された状態でロックが行われ、このディスク蓋７のロックは、操作部材をスライド操作することによって解除されるようになっている。
【００３７】
このようにディスク蓋７が開閉されるディスク式撮像装置１によれば、例えば、ディスク式撮像装置１を片手でしっかりと把持して被写体を撮影することができる。この場合、外装ケース５のディスク側パネル及びディスク蓋７の部分がそのままディスク式撮像装置１を握るための把持部となっており、しかも、その把持部の略全体が略円形に形成されているため、大きなグリップ部４３で安定した撮影が可能となった。
【００３８】
また、グリップ部４３の内側にはくびれが設定されているため、そのくびれに人差し指から小指までの各先端部を掛けて握ることにより、十分に大きな把持力を生じさせることができる。更に、グリップ部４３の内側に設定された空間領域に蓋開閉機構が収納されているため、外装ケース５内の空間領域を無駄なく利用できるようになった。そのため、外装ケース５内の空き領域を無くすことによって当該外装ケース５の小型化が可能となり、その結果、装置全体の小型化が可能となった。
【００３９】
次に、図８〜図１７を参照し、本例のバッテリーロック機構について説明する。図８は撮像装置１のバッテリー２４を外した状態を背面側から見た斜視図、図９はバッテリー２４を取り付けた状態を示す底面側から見た斜視図、図１０はバッテリー装着部の底面側から見た斜視図、図１１はバッテリーロック機構を裏面側から見た斜視図、図１２はバッテリーロック機構の解除状態を裏面から見た斜視図、図１３〜図１５はバッテリーロック解除動作の説明に供する要部の断面図、図１６はバッテリーの裏側から見た斜視図、図１７はバッテリーの取り外し動作の説明図である。
【００４０】
図５及び図８に示すように、バッテリー２４は、撮像装置１の背面側に設けられたバッテリー装着部２５に着脱自在に装着される。バッテリー装着部２５は、撮像装置１の背面側において外装ケース５の一部を構成するバッテリー装着パネル１２に設けられている。
【００４１】
図１６に示すように、電池セルを収納したバッテリー２４には、左右両側部において上下３箇所に長溝１２０ａ，１２０ｂ，１２０ｃが形成されている。これに対しバッテリー装着パネル１２には、図８及び図１０に示す如く両側壁部１２ａ及び１２ｂの内面側に係合部１３０ａ，１３０ｂ，１３０ｃが突出形成されており、バッテリー２４はこの係合部１３０ａ，１３０ｂ，１３０ｃに長溝１２０ａ，１２０ｂ，１２０ｃが係合することによってバッテリー装着部２５に固定保持される。図１６に示すように、バッテリー２４の長溝１２０ａ，１２０ｂ，１２０ｃは上半部が前面に開放されており、バッテリー２４を装着するときには、この開放部から長溝１２０ａ，１２０ｂ，１２０ｃをバッテリー装着パネル１２の係合部１３０ａ，１３０ｂ，１３０ｃに係合させ、その状態からバッテリー２４をバッテリー装着部２５に沿って上方に移動させて長溝１２０ａ，１２０ｂ，１２０ｃを完全に係合部１３０ａ，１３０ｂ，１３０ｃに係合させるようにする。
【００４２】
こうしてバッテリー装着部２５に装着されたバッテリー２４は、その上端面と装着面との上部陵部に設けられた収納した電池セルの端子部１２１( 図１６参照) が、バッテリー装着部２５の上方に設けられた撮像装置側の端子部１３１( 図１０参照) と接触し、撮像装置１に駆動電力を供給する。
【００４３】
また、本例によるバッテリー２４に、この端子部１２１とは反対側の下端面と装着面との下部陵部に所定幅Ｗの段差部１２２を設ける。
【００４４】
そして、このようにバッテリー装着部２５にバッテリー２４が装着された状態でバッテリー２４をロックすると共にそのロックを解除するバッテリーのロック機構をバッテリー装着部２５の隣接面である外装ケース（筐体）５の底面板１ａに設ける。
【００４５】
このロック機構は、このバッテリー２４と一方向（バッテリー装着部２５側）に付勢されて係合しロックするロックスライダ板１４０と、このロックスライダ板１４０と回動レバー１５０を介して設けられ、この一方向（バッテリー装着部２５側）に移動することにより、このロックスライダ板１４０を他方向（バッテリー装着部２５側と反対側）に移動し、このバッテリー２４のロックを解除して、このバッテリー２４を取り外すスライドボタン１６０とより構成し、このスライドボタン１６０及びロックスライド板１４０を隣接面の表面又は裏面を摺動するようにする。
【００４６】
本例においては、このロックスライダ板１４０は、図９、図１０、図１１、図１２、図１３Ｂに示す如く、撮像装置１の筐体のバッテリー装着部２５の隣接面である底面板１ａの内側に、バッテリー装着部２５のバッテリー装着面と直交する方向にスライド可能に配置される板状部品よりなる。このロックスライダ板１４０の一端部を所定長さこのバッテリー装着部２５に突出するように、このロックスライダ板１４０の他端部を捩じりコイルバネ１４１により付勢する。１４０ａはこのロックスライダ板１４０の一端部の突出長を規制する規制片である。
【００４７】
この場合、このロックスライダ板１４０の一端部のバッテリー装着部２５への突出長は図１６に示す如きバッテリー２４の段差部１２２の幅Ｗと略同じ長さとする。
【００４８】
上述構成により、バッテリー装着部２５にバッテリー２４が装着された状態では図９に示す如くバッテリー２４の段差部１２２にロックスライダ板１４０の一端部が係合し、これによってバッテリー２４は長溝１２０ａ，１２０ｂ，１２０ｃがバッテリ装着部２５の係合部１３０ａ，１３０ｂ，１３０ｃから外れないように移動不能にロック（規制）される。
【００４９】
本例のようにバッテリー２４の段差部１２２をロックスライダ板１４０を当接し規制（ロック）するようにしたときには、バッテリー２４の形状の範囲内でロックでき、このロック機構により、撮像装置１が大型化することがない。
【００５０】
一方、本例によるこのバッテリー２４を取り外すスライドボタン１６０は、図９、図１０、図１３Ａに示す如く、撮像装置１の筐体の底面板１ａの外側に、ロックスライダ板１４０と並列になる如く、バッテリー装着部２５のバッテリー装着面と直交する方向にスライド可能に配置される板状部品より成る。
【００５１】
この場合、このスライドボタン１６０は安全装置を解除したときのみスライド可能に構成する。本例においては、この撮像装置１の筐体の底面板１ａのバッテリー装着部２５の近傍の所定位置に所定長及び所定幅の摺動孔１ｂを設け、この摺動孔１ｂ及び底面板１ａを挟んで、このスライドボタン１６０を弾性を有する合成樹脂よりなる固定板１７０に固定し、このスライドボタン１６０及び固定板１７０が一体としてバッテリー装着部２５のバッテリー装着面に直交する如く、所定距離摺動するようにする。
【００５２】
この固定板１７０に２つの弾性部１７０ａ及び１７０ａを挟んで規制部１７０ｂを設け、この規制部１７０ｂに摺動孔１ｂ及びスライドボタン１６０の所定位置に設けた貫通孔１６０ａを介して所定長突出する突起１７０ｃを設け、通常時は、この規制部１７０ｂの一部と筐体の底面板１ａの摺動孔１ｂの規制部とが当接して、安全装置を構成し、この突起１７０ｃが内側に押し込まれたときにこの規制部１７０ｂが押し上げられ、この規制部１７０ｂの一部と筐体の底面板１ａの規制部との当接が解除されスライドボタン１６０のスライドを可能とする。
【００５３】
本例においては安全装置を弾性材より成る固定板１７０と筐体の底面板１ａとで構成するようにしたので、この安全装置を構成する部品点数を少なくできる。
【００５４】
また、このロックスライダ板１４０とスライドボタン１６０との間に回動レバー１５０を設ける。この回動レバー１５０は、撮像装置１の底面板１ａの内側に設けられ、図１１及び図１２に示す如く中間点を軸１５０ａとして回動するもので、この回動レバー１５０の一端１５０ｂに植立したボス１５０ｃをロックスライダ板１４０に設けた孔１４０ｂに挿入係合し、このロックスライダ板１４０がこの回動レバー１５０の一端１５０ｂの動きに追従するようにし、この回動レバー１５０の他端１５０ｄがこのスライドボタン１６０に関連して設けられたボス１６０ｂに当接する如くし、図１２に示す如くこのスライドボタン１６０をバッテリー装着部２５側に摺動したときにのみ係合し、この回動レバー１５０の他端１５０ｄをバッテリー装着部２５側に移動し、この回動レバー１５０の一端１５０ｂをバッテリー装着部２５より遠のく方向に移動し、このロックスライダ板１４０の一端部を筐体内に引き込む如くし、バッテリー２４のロックを解除する如くする。
【００５５】
以上の如く構成される本例のバッテリーロック機構におけるバッテリーのロック解除動作を図９〜図１５を参照して説明する。
図９、図１１はバッテリー２４のロック状態であり、即ちこの状態ではロックスライダ板１４０の一端部がバッテリー２４の段差部１２２に当接し、バッテリー２４はバッテリー装着部２５から外れないようにロックされている。
【００５６】
この状態で、スライドボタン１６０をバッテリーロック解除方向にスライド操作しようとしても安全装置である固定板１７０の規制部１７０ｂが底面板１ａの摺動孔１ｂの規制部に突き当たる状態となるため、スライドボタン１６０を摺動することはできない。従って、安全装置が働き、バッテリー２４のロックが誤って解除されることはない。
【００５７】
この状態からバッテリー２４のロックを解除するには、スライドボタン１６０の操作面に突出している突起１７０ｃを内側に押しながら、このスライドボタン１６０をバッテリー装着部２５側に向かってスライド操作する。
【００５８】
即ち、先ず突起１７０ｃを押すと図１４に示すように規制部１７０ｂが弾性部１７０ａに抗して押し上げられ、底面板１ａの規制部から解除され非対応となるので、このスライドボタン１６０が安全装置から解除される。
【００５９】
そして、スライドボタン１６０を突起１７０ｃを押しながら、バッテリー装着部２５に向かってスライド操作すると、図１２、図１５に示すように、スライドボタン１６０に関連して設けられたボス１６０ｂが回動レバー１５０の他端１５０ｄに係合して移動し回動レバー１５０の一端１５０ｂをバッテリー装着部２５より遠のく方向に移動し、このロックスライダ板１４０の一端部を筐体（外装ケース５）内に引き込み、バッテリー２４のロックを解除する。
【００６０】
そして、以上のようにバッテリー２４のロックが解除された状態で、バッテリー２４をバッテリー装着部２５に沿って下方に移動させて長溝１２０ａ，１２０ｂ，１２０ｃを係合部１３０ａ，１３０ｂ，１３０ｃから外すことによりバッテリー２４をバッテリー装着部２５から取り外すことができる。
【００６１】
本例によれば、ロック機構をバッテリー２４を着脱自在に装着するバッテリー装着部２５の隣接面である底面板１ａにスライドボタン１６０とロックスライダ板１４０とが回転レバー１５０で逆方向に移動すると共にこのスライドボタン１６０及びこのロックスライダ板１４０をこの隣接面である底面板１ａの表面及び裏面を摺動するようにしたので、薄型で操作性の良いロック機構を得ることができ、またディスクドライブ部やプリント基板の邪魔になることなくロック機構を底面板に沿ってコンパクトに構成でき、電子機器の一層の小型化に大きく貢献することができた。
【００６２】
そして、本例のバッテリーロック機構によれば、バッテリーを取り外すときの動作を片手で簡単に行うことができる。即ち、バッテリー２４を取り外すときは、図１７に示すように、片手でバッテリー２４を掴むように保持しながら、親指で安全装置の突起１７０ｃを押し（ａ）、そのままスライドボタン１６０をバッテリー２４側にスライド操作（ｂ）してバッテリーのロックを解除し、それから親指と対向する側の指でバッテリー２４の上面を押し下げる（ｃ）ことにより、自然と手の中に外れたバッテリー２４を掴むことができる。こうして、人間工学的に無理のない動作でバッテリー２４をスムーズに取り外すことができる。
【００６３】
このように本例のバッテリーロック機構は、バッテリーを意識的に外そうとしなければ外れないロック機構でありながら、バッテリーを外そうとするときには、片手でバッテリーを保持しながら容易に外すことを可能にした機構であり、この機構を採用することで、バッテリーを確実に装着し、かつ取り外しの簡単な使い易い撮像装置を実現することができた。
【００６４】
また、図１４において、ロック状態のバッテリー２４の下端面と底面板１ａの外側の面には、少し段差があるが、この２つの面を同一面としてもよいのは勿論である。すなわち、ロックスライド板１４０をバッテリー２４の段差部を規制するようにしたので、この２つの面を略同一平面とすることができた。その結果、バッテリー内部の電池セル等の邪魔になることなくバッテリーをロックすることができると共に、より大きなサイズのバッテリーが装着可能となった。
【００６５】
尚、上述例はＤＶＤを記録媒体として用いたディスク記録式撮像装置に適用した例につき述べたが、本発明に上述例に限らず各種電子機のバッテリーロック機構に適用できることは勿論である。
【００６６】
また、本発明は上述例に限らず本発明の要旨を逸脱することなく、その他種々の構成が採り得ることは勿論である。
【図面の簡単な説明】
【００６７】
【図１】撮像装置の例を示す斜視図である。
【図２】撮像装置の例の表示装置を開いた後方から見た斜視図である。
【図３】撮像装置の例の表示装置を開いた前方から見た斜視図である。
【図４】撮像装置の例のディスク側の後方から見た斜視図である。
【図５】撮像装置の例の底面側から見た斜視図である。
【図６】撮像装置の例のディスク蓋を開いた前方から見た斜視図である。
【図７】撮像装置の例のディスク状記録媒体を装着した状態をディスク蓋を開いた前方から見た斜視図である。
【図８】撮像装置の例のバッテリーを外した状態を背面側から見た斜視図である。
【図９】バッテリー装着部の例にバッテリーを取り付けた状態を示す底面側から見た斜視図である。
【図１０】バッテリー装着部の例の底面側から見た斜視図である。
【図１１】バッテリーロック機構の例を裏面側から見た斜視図である。
【図１２】バッテリーロック機構の例の解除状態を裏面から見た斜視図である。
【図１３】バッテリーロック機構の例の要部の断面図である。
【図１４】バッテリーロック機構の例の要部の断面図である。
【図１５】バッテリーロック機構の例の要部の断面図である。
【図１６】バッテリーの例の裏側から見た斜視図である。
【図１７】バッテリーの取り外しの例の動作の説明に供する線図である。
【符号の説明】
【００６８】
１‥‥撮像装置、１ａ‥‥底面板、１ｂ‥‥摺動孔、１２‥‥バッテリー装着パネル、２４‥‥バッテリー、２５‥‥バッテリー装着部、１２２‥‥段差部、１４０‥‥ロックスライダ板、１５０‥‥回動レバー、１６０‥‥スライダボタン、１７０‥‥固定板、１７０ｃ‥‥突起
【図１】
2006228471.tif 000003
【図２】
2006228471.tif 000004
【図３】
2006228471.tif 000005
【図４】
2006228471.tif 000006
【図５】
2006228471.tif 000007
【図６】
2006228471.tif 000008
【図７】
2006228471.tif 000009
【図８】
2006228471.tif 000010
【図９】
2006228471.tif 000011
【図１０】
2006228471.tif 000012
【図１１】
2006228471.tif 000013
【図１２】
2006228471.tif 000014
【図１３】
2006228471.tif 000015
【図１４】
2006228471.tif 000016
【図１５】
2006228471.tif 000017
【図１６】
2006228471.tif 000018
【図１７】
2006228471.tif 000019